(57)【要約】【課題】ユーザ・警備員がいつでも家の安全状況を把握できるリアルタイム監視システムを提供すること。【解決手段】ビデオ住宅安全保障システムは、１個の親機Ｍと数個の子機Ｚからなり、子機において、デジタル映像信号は、静止あるいは動画像符号化アルゴリズム、暗号化アルゴリズムと移動映像目標検出アルゴリズムによって処理され、映像の圧縮も行われてから親機Ｍに転送される。親機は、圧縮された音声と映像を受信してからデコードと解読を行い、映像を符号化し、直接にディスプレイに出力し、あるいは格納し、あるいは住宅安全保障システムのサーバーに転送してから、更にＭＭＳ移動式電話、電子メールボックスあるいは携帯型情報設備に転送する。【選択図】  図２
2004236281.tif 000002
【特許請求の範囲】
【請求項１】
ビデオ住宅安全保障システムであって、１個の親機Ｍと数個の子機Ｚを備え、子機Ｚは主に映像信号の取得に用いられ、親機Ｍは主に通信ネットワークを経由して信号をサーバーに転送するのに用いられ、
ｉ）子機Ｚは映像採集回路（７）、子機中央処理回路（８）、子機無線通信インターフェース回路（９）、交信回路（１０）、制御スイッチ（１１）を備え、映像採集回路（７）の出力端は、子機中央処理回路（８）の入力端と接続され、子機中央処理回路（８）は、子機無線通信インターフェース回路（９）と接続され、子機の交信回路（１０）は、子機中央処理回路（８）と接続され、制御スイッチ（１１）は、子機中央処理回路（８）に接続され、移動映像目標検出アルゴリズムは、子機中央処理回路（８）におけるソフトで実現され、
ｉｉ）親機Ｍは、親機無線通信インターフェース回路（１）、親機中央処理回路（４）、通信インターフェース回路（６）、ディスプレイ出力回路（３）とディスプレイ設備（１２）、メモリー回路（２）、ハードディスク・インターフェース回路（５）を備え、親機無線通信インターフェース回路（１）は、親機中央処理回路（４）と接続され、親機中央処理回路（４）の出力端は、ディスプレイ出力回路（３）の入力端と接続され、ディスプレイ出力回路（３）の出力端は、ディスプレイ設備（１２）と接続され、親機中央処理回路（４）は、親機無線通信インターフェース回路（１）から受信した圧縮映像信号をデコード、解読してから、ディスプレイ出力回路（３）モジュールで直接にディスプレイ設備（１２）に出力し、親機中央処理回路（４）は、通信インターフェースを備え、該通信用インターフェースを介して通信用インターフェース回路との接続を確立させ、さらに、メモリ回路（２）およびハードディスク・インターフェース回路（５）を備え、双方とも親機中央処理回路に接続され、
ｉｉｉ）子機Ｚと親機Ｍは、アナログおよびデジタルの二つの方式で無線通信できる、ビデオ住宅安全保障システム。
【請求項２】
子機Ｚと親機Ｍがアナログ方式で無線通信し、ビデオカメラが撮影したアナログ信号を無線通信インターフェースを経由して親機Ｍに転送することを特徴とする請求項１記載のビデオ住宅安全保障システム。
【請求項３】
子機Ｚと親機Ｍがデジタル方式で無線通信し、子機Ｚがアナログ映像信号をデジタル信号に変換し、圧縮と暗号化処理を行ってから無線通信インターフェースを経由して親機Ｍに転送することを特徴とする請求項１記載のビデオ住宅安全保障システム。
【請求項４】
子機中央処理回路（８）が子機メモリー（Ｕ８）、子機中央プロセッサ・チップ（Ｕ９）、子機読取専用メモリー（Ｕ１０）を備えることを特徴とする請求項１記載のビデオ住宅安全保障システム。
【請求項５】
前記親機中央処理回路（４）が親機読取専用メモリー（Ｕ３）、親機中央プロセッサ・チップ（Ｕ４）、親機メモリー（Ｕ５）を備えることを特徴とする請求項１記載のビデオ住宅安全保障システム。
【請求項６】
親機における通信インターフェース回路（６）がサーバー接続に用いられ、通信インターフェース回路（６）は、モデム・インターフェース回路でも、ネットワーク・インターフェース回路あるいは移動データ通信インターフェース回路でもよく、通信インターフェース回路（６）のインターフェースはＰＳＴＮあるいはＧＰＲＳあるいはＣＤＭＡのモデム回路でもよいことを特徴とする請求項１記載のビデオ住宅安全保障システム。
【請求項７】
ビデオ住宅安全保障システムにおけるリアルタイム監視、転送の方法であって、該システム、即ち、無線通信方式で通信する子機／親機システムが、子機Ｚで実現されるステップＩと親機Ｍで実現されるステップＩＩに分割され、
子機Ｚで実現されるステップＩは、
１）子機における映像採集チップ（Ｕ７）が、受信したアナログ映像信号をデジタル映像信号に変換し、デジタル映像信号が子機中央処理回路（８）の中央プロセッサ・チップ（Ｕ９）に入り、中央プロセッサ・チップ（Ｕ９）が、デジタル映像信号に対し、静止あるいは運動画像符号化アルゴリズム、暗号化アルゴリズムと移動映像目標検出アルゴリズムの処理を行うステップと、
２）移動映像目標検出アルゴリズム処理が、事前に記録された映像と現在入力された映像を比較し、差異の程度によって、映像の中から移動目標を検出するステップと、
３）子機中央プロセッサ・チップ（Ｕ９）が、移動映像目標検出信号とスイッチ変数信号を受信してから、子機中央処理回路（８）をスタートさせ、映像の圧縮を行い、圧縮された音声と映像データを子機無線通信インターフェース回路（９）を経由して親機Ｍに転送するステップを備え、
親機Ｍで実現されるステップＩＩは、
１）親機無線通信インターフェース回路（１）が、受信した圧縮された音声と映像データをメモリー回路（２）に格納するステップと、
２）  親機中央処理回路（４）の中央プロセッサ・チップ（Ｕ４）が、静止／動画像デコード・アルゴリズムによって受信した音声および映像データを処理し、解読、圧縮解除、および映像符号化の処理の後、受信した圧縮された映像および音声がディスプレイ出力回路（３）によってディスプレイ装置（１２）に直接表示され、受信した圧縮された音声と映像データがメモリー回路（２）に格納されるか、ハードディスク・インターフェース回路（５）によってハードディスクに格納され、該圧縮された映像および音声データは、ハードディスク・インターフェース回路（５）またはメモリー回路（２）を介してハードディスクから読み出されるステップと、
３）通信インターフェース回路（６）が、親機中央処理回路（４）と接続され、親機中央処理回路（４）が、受信した圧縮映像データを通信インターフェース回路（６）に送り、通信インターフェース回路（６）に通信インターフェースが設けられ、データを住宅安全保障システムのサーバーに転送してから、更にＭＭＳ移動式電話、電子メールボックスあるいは携帯型情報設備に転送するステップを備える、ビデオ住宅安全保障システムにおけるリアルタイム監視、転送の方法。
【発明の詳細な説明】
【０００１】
【発明の属する技術分野】
本発明は、ビデオ住宅安全保障システムとリアルタイム監視、転送の方法に関する。該システムは、複数の場所に対しリアルタイム撮影を行い、異常状況がある場合、自動的にデジタル撮影を実施し、警報を発し、そして、直ちに情報をＭＭＳ移動式電話、電子メールボックスあるいは携帯型情報設備に転送する。
【０００２】
【従来の技術】
現在、多くの安全保障システムには、赤外線センサー、マイクロ波センサーなどのようなブール信号警報装置が採用されている。異常が発生した場合、警報装置は自動的にあるいは手動的にダイヤルして警報を発する。警備員あるいは警官は、警報信号を受信してから、現場状況を知らないまま直ちに現場に駆けつけなければならない。これは、事件を適切に処理するのに不利である。警備員あるいは警官にとって、突発事件を正確かつタイムリーに処理するために、警報を受けたと同時に現場の映像と音声も直接に取得することが差し迫って必要である。
【０００３】
【発明が解決しようとする課題】
しかし、現在遠距離の映像転送には、専用光ケーブルあるいはマイクロ波を採用することが普通で、地形と配線による制限により、コストも極めて高く、本解決法を普及させる事は困難である。
【０００４】
【課題を解決するための手段】
本発明で解決しようとする技術的課題は、次の通りである。ビデオ住宅安全保障システムは、１個の親機Ｍと数個の子機Ｚから構成され、子機Ｚは、主に映像信号の取得に用いられ、親機Ｍは、主に通信ネットワークを経由して信号をサーバーに転送することに用いられる。この中で、子機Ｚは映像採集回路、子機中央処理回路、子機無線通信インターフェース回路、交信回路、制御スイッチを備え、映像採集回路の出力端は、子機中央処理回路の入力端と接続され、子機中央処理回路は、子機無線通信インターフェース回路と接続され、子機の交信回路は、子機中央処理回路と接続され、制御スイッチは、子機中央処理回路に接続される。移動映像目標検出アルゴリズムは、子機中央処理回路におけるソフトで実現される。
【０００５】
親機Ｍは、親機無線通信インターフェース回路、親機中央処理回路、通信インターフェース回路、ディスプレイ出力回路とディスプレイ設備、メモリー回路、ハードディスク・インターフェース回路を備え、親機無線通信インターフェース回路は、親機中央処理回路と接続され、親機中央処理回路の出力端は、ディスプレイ出力回路の入力端と接続され、ディスプレイ出力回路の出力端は、ディスプレイ設備と接続され、親機中央処理回路は、親機無線通信インターフェース回路から受信した圧縮映像信号をデコード、解読してから、ディスプレイ出力回路モジュールで直接ディスプレイ設備に出力する。親機中央処理回路は通信用インターフェースを備え、該通信用インターフェースを介して通信用インターフェース回路との接続を確立させ、さらに、メモリ回路およびハードディスク・インターフェース回路を備え、双方とも親機中央処理回路に接続される。
【０００６】
子機Ｚと親機Ｍは、アナログあるいはデジタルの二つの方式で無線通信できる。
子機Ｚと親機Ｍがアナログ方式で無線通信する場合、ビデオカメラが撮影したアナログ信号を無線通信インターフェースを経由して親機Ｍに転送する。
子機Ｚと親機Ｍがデジタル方式で無線通信する場合、子機Ｚがアナログ映像信号をデジタル信号に変換し、圧縮と暗号化処理を行ってから無線通信インターフェースを経由して親機Ｍに転送する。
該子機中央処理回路は、子機メモリー、子機中央プロセッサ・チップ、子機読取専用メモリーを備える。
該親機中央処理回路は、親機読取専用メモリー、親機中央プロセッサ・チップ、親機メモリーを備える。
親機における通信インターフェース回路がサーバー接続に用いられる。通信インターフェース回路は、モデム・インターフェース回路でも、ネットワーク・インターフェース回路あるいは移動データ通信インターフェース回路でもよく、通信インターフェース回路のインターフェースがＰＳＴＮあるいはＧＰＲＳあるいはＣＤＭＡのモデム回路でもよい。
本発明のビデオ住宅安全保障システムでリアルタイム監視、転送の方法は、無線通信方式で通信する子機／親機システムと子機Ｚで実現するステップＩと親機Ｍで実現するステップＩＩに分割される。
【０００７】
子機Ｚで実現するステップＩは、次の通りである。
１）子機における映像採集チップは、受信したアナログ映像信号をデジタル映像信号に変換し、デジタル映像信号が子機中央処理回路の中央プロセッサ・チップに入り、中央プロセッサ・チップは、デジタル映像信号に対し、静止あるいは運動画像符号化アルゴリズム、暗号化アルゴリズムと移動映像目標検出アルゴリズムの処理を行う。
２）移動映像目標検出アルゴリズム処理は、事前に記録された映像と現在入力された映像を比較し、差異の程度によって、映像の中から移動目標を検出する。
３）子機中央プロセッサ・チップは、移動映像目標検出信号とブール信号を受信してから、子機中央処理回路をスタートさせ、映像の圧縮を行い、圧縮された音声と映像データを子機無線通信インターフェース回路を経由して親機Ｍに転送する。
【０００８】
親機Ｍで実現するステップＩＩは、次の通りである。
１）親機無線通信インターフェース回路は、受信した圧縮された音声と映像データをメモリー回路に格納する。
２）親機Ｍの親機中央処理回路の中央プロセッサ・チップは、受信した音声と映像データを、静止あるいは動画像デコード・アルゴリズムによって処理し、解読、圧縮解除、および映像符号化の処理の後、受信した圧縮された映像および音声がディスプレイ出力回路によってディスプレイ装置に直接表示され、受信した圧縮された音声と映像データがメモリー回路に格納されるか、ハードディスク・インターフェース回路によってハードディスクに格納され、該圧縮された映像および音声データは、ハードディスク・インターフェース回路またはメモリー回路を介してハードディスクから読み出される。
３）通信インターフェース回路は、親機中央処理回路と接続され、親機中央処理回路は、受信した圧縮映像データを通信インターフェース回路に送る。通信インターフェース回路に通信インターフェースが設けられ、データを住宅安全保障システムのサーバーに転送してから、更にＭＭＳ移動式電話、電子メールボックスあるいは携帯型情報設備に転送する。
【０００９】
【発明の実施の形態】
本実施例におけるビデオ住宅安全保障システムは、１個の親機Ｍと数個の子機Ｚからなる無線通信方式で接続される子機／親機システムである。子機Ｚが主に映像信号の取得に用いられ、親機Ｍが主に通信ネットワークを経由して信号をサーバーに転送するのに用いられる。子機と親機は、アナログあるいはデジタルの二つの方式で無線通信できる。アナログ方式では、ビデオカメラが撮影したアナログ信号を無線通信インターフェースを経由して親機に転送する。デジタル方式では、子機がアナログ映像信号をデジタル信号に変換し、圧縮と暗号化処理を行ってから無線通信インターフェースを経由して親機に転送する。
【００１０】
子機の映像採集回路は、内蔵式あるいは外付式を採用できる。本実施例では、内蔵式を用いて説明する。
図１に示されるように、子機は、映像採集回路７、子機中央処理回路８、子機無線通信インターフェース回路９、交信回路１０、制御スイッチ１１を備える。子機無線通信インターフェース回路９には、アンテナが内蔵されている。
映像採集回路７の出力端は、子機中央処理回路８の入力端と接続され、子機中央処理回路８は、子機無線通信インターフェース回路９と接続され、子機の交信回路１０は、子機中央処理回路８と接続され、制御スイッチ１１は、子機中央処理回路８に接続され、移動映像目標検出アルゴリズムは、子機中央処理回路８におけるソフトで実現される。
【００１１】
図３に示されるように、子機中央処理回路８は、子機メモリーＵ８、子機中央プロセッサ・チップＵ９、子機読取専用メモリーＵ１０を備える。うち、
子機の映像採集回路７は、受信したアナログ映像信号を８ビットのデジタル映像信号に変換し、映像採集回路における映像採集チップＵ７における８ビットのデジタル映像信号ＳＤ０〜ＳＤ７の信号線は、子機中央処理回路８の子機中央プロセッサ・チップＵ９のＳＤ０〜ＳＤ７の信号線と接続され、映像採集チップＵ７のＳＤＡとＳＣＫ信号線は、子機中央プロセッサ・チップＵ９のＳＤＡとＳＣＫ信号線と接続されている。ＳＤＡとＳＣＫからなるＩ２Ｃバスには、映像採集チップＵ７メモリーを設け、映像採集チップＵ７のラインフィールド同期信号線、即ちＳＨＳとＳＶＳは、子機中央プロセッサ・チップＵ９のＳＨＳとＳＶＳ信号線に接続され、映像採集チップＵ７のＳＰＣＬＫクロック線は、子機中央プロセッサ・チップＵ９のＳＰＣＬＫクロックと接続される。
【００１２】
子機中央プロセッサ・チップＵ９のデータバスＱ０〜Ｑ１５は、子機メモリーＵ８のデータバスＱ０〜Ｑ１５と接続され、子機中央プロセッサ・チップＵ９アドレスバスＭＡ０〜ＭＡ１１は、子機メモリーＵ８のアドレスバスＭＡ０〜ＭＡ１１と接続され、子機中央プロセッサ・チップＵ９の制御線ＤＱＭ、ＭＷＥ＃、ＣＡＳ＃、ＣＳ０＃、ＢＡ０、ＢＡ１＃は、それぞれ子機メモリーＵ８の制御線ＤＱＭ、ＭＷＥ＃、ＣＡＳ＃、ＣＳ０＃、ＢＡ０、ＢＡ１＃と接続されている。子機メモリーＵ８には、デジタル音声と映像データのバッファとして、ＤＲＡＭが採用されている。
子機中央プロセッサ・チップＵ９のデータバスＤ０〜Ｄ７は、子機読取専用メモリーＵ１０のデータバスＤ０〜Ｄ７と接続され、子機中央プロセッサ・チップＵ９アドレスバスＡＤＤＲ０〜ＡＤＤＲ１８は、子機読取専用メモリーＵ１０のアドレスバスＡＤＤＲ０〜ＡＤＤＲ１８と接続される。子機読取専用メモリーＵ１０は、プログラム・データとデータの保存に用いられる。
子機中央プロセッサ・チップＵ９のデータ線Ｄ＋、Ｄ−は、それぞれ子機無線通信インターフェース回路９のデータ線Ｄ＋、Ｄ−に接続される。
子機中央処理回路８は制御インターフェースを備え、制御インターフェースは、制御スイッチ１１あるいはブール出力の警報センサーに接続される。子機の制御スイッチ１１は、手動スイッチでもよく、警報センサーは、赤外線センサー、煙センサーなど任意のブール信号出力を有する警報センサーで良い。
子機中央処理回路８は、交信回路１０と接続される。
【００１３】
図２に示されたように、親機は、親機無線通信インターフェース回路１、親機中央処理回路４、通信インターフェース回路６、ディスプレイ出力回路３とディスプレイ設備１２、メモリー回路２、ハードディスク・インターフェース回路５を備える。親機無線通信インターフェース回路１には、アンテナが内蔵されている。
親機無線通信インターフェース回路１は、親機中央処理回路４と接続され、親機中央処理回路４の出力端は、ディスプレイ出力回路３の入力端と接続され、ディスプレイ出力回路３の出力端は、ディスプレイ設備１２と接続されている。親機中央処理回路４は、親機無線通信インターフェース回路１から受信した圧縮映像信号をデコード、解読してから、ディスプレイ出力回路３モジュールで直接にディスプレイ設備１２に出力する。親機中央処理回路４に通信インターフェースが設けられ、通信インターフェース回路６は、親機中央処理回路４と接続され、そして、メモリー回路２、ハードディスク・インターフェース回路５も設けられ、メモリー回路２とハードディスク・インターフェース回路５は、それぞれ親機中央処理回路４と接続する。
【００１４】
図４に示されたように、親機中央処理回路４は、親機読取専用メモリーＵ３、親機中央プロセッサ・チップＵ４、親機メモリーＵ５を備える。うち、
親機中央プロセッサ・チップＵ４のデータ線Ｄ＋、Ｄ−は、それぞれ親機無線通信インターフェース回路１のデータ線Ｄ＋、Ｄ−と接続され、親機中央処理回路における中央プロセッサ・チップＵ４のデータバスＱ０〜Ｑ１５は、親機メモリーＵ５のデータバスＱ０〜Ｑ１５と接続され、親機メモリー（Ｕ５）には、ＤＲＡＭを採用し、中央プロセッサ・チップＵ４アドレスバスＭＡ０〜ＭＡ１１は、メモリーＵ５のアドレスバスＭＡ０〜ＭＡ１１と接続され、中央プロセッサ・チップＵ４の制御線ＤＱＭ、ＭＷＥ＃、ＣＡＳ＃、ＣＳ０＃、ＢＡ０、ＢＡ１＃は、それぞれ親機メモリーＵ５の制御線ＤＱＭ、ＭＷＥ＃、ＣＡＳ＃、ＣＳ０＃、ＢＡ０、ＢＡ１＃と接続される。メモリーＵ５は、デジタル音声と映像データをバッファ保存する。
【００１５】
親機中央処理回路における中央プロセッサ・チップＵ４のデータバスＤ０〜Ｄ７は、親機読取専用メモリーＵ３のデータバスＤ０〜Ｄ７と接続され、中央プロセッサ・チップＵ４アドレスバスＡＤＤＲ０〜ＡＤＤＲ１８は、親機読取専用メモリーＵ３のアドレスバスＡＤＤＲ０〜ＡＤＤＲ１８と接続されている。親機読取専用メモリーＵ３は、プログラム・データとデータの保存に用いられる。親機における通信インターフェース回路６はサーバー接続に用いられる。通信インターフェース回路６はモデム・インターフェース回路でも、ネットワーク・インターフェース回路あるいは移動データ通信インターフェース回路でもよい。通信インターフェース回路６のインターフェースはＰＳＴＮあるいはＧＰＲＳあるいはＣＤＭＡのモデム回路でもよい。
通信インターフェース回路６内の電話線インタフェースの利点により、親機は該インタフェースおよびＰＳＴＮを経由してサーバーと直接接続し得る。
【００１６】
リング信号が生じた際にリモートコールが存在する事を中央プロセッサ・チップＵ４に通知するために、中央プロセッサ・チップＵ４のリング指示線ＲＩは、Ｕ６のＲＩと接続される。中央プロセッサ・チップＵ４のＤＣＤ線ＤＣＤは、Ｕ６のＤＣＤ線と接続され、それによって、Ｕ６はキャリアを検知した時に、データを転送できる。中央プロセッサ・チップＵ４のＤＳＲ線ＤＳＲは、Ｕ６のＤＳＲ線と接続され、Ｕ６の準備ができ、データを受け入れられる状態にあることの表示に用いられるが、Ｐ２Ｐ接続が確立されたことを表示しない。中央プロセッサ・チップＵ４のＣＴＳ線ＣＴＳは、Ｕ６のＣＴＳ線と接続され、中央プロセッサ・チップＵ４のＲＴＳ線ＲＴＳは、Ｕ６のＲＴＳ線と接続され、中央プロセッサ・チップＵ４のＤＴＲ線ＤＴＲは、Ｕ６のＤＴＲ線と接続され、中央プロセッサ・チップＵ４のＲＸＤ線ＲＸＤは、Ｕ６のＲＸＤ線と接続され、シリアル・データ受信に用いられる。中央プロセッサ・チップＵ４のＴＸＤ線ＴＸＤは、Ｕ６のＴＸＤ線と接続され、シリアル・データの送信に用いられる。
【００１７】
親機におけるメモリー回路２は、現場音声と映像信号の保存に用いられ、不揮発性メモリー・チップＵ２を備える。親機におけるメモリー回路２のメモリー・チップＵ２のデータバスＰ０〜Ｐ７は、親機中央処理回路４の中の中央プロセッサ・チップＵ４のＰ０〜Ｐ７と接続され、メモリー・チップＵ２の制御線ＦＲＢ＃、ＦＲＥ＃、ＦＣＳ０＃、ＦＣＬＥ、ＦＡＬＥ、ＦＥＷ＃は、中央プロセッサ・チップＵ４のＦＲＢ＃、ＦＲＥ＃、ＦＣＳ０＃、ＦＣＬＥ、ＦＡＬＥ、ＦＥＷ＃と接続され、圧縮映像と音声データの保存と読み取りを実現する。中央プロセッサ・チップＵ４は、信号線ＣＶＢＳとディスプレイ出力回路３によってディスプレイ設備１２と接続する。
親機におけるハードディスク・インターフェース回路５は、親機中央処理回路４と接続され、ハードディスク・インターフェース回路５のハードディスク・インターフェースは、ハードディスクとの接続に用いられ、データの保存と読み取りを実現させる。
【００１８】
本発明において、移動する物体に対するリアルタイム監視、データ転送の方法は、子機Ｚで実現するステップＩと親機Ｍで実現するステップＩＩからなっている。
子機Ｚの中央処理回路８は、映像の圧縮、暗号化と移動映像目標の検知に用いられ、ＡＳＩＣ方式あるいはプラグイン・プロセッサ方式で実現できる。それによって実現されるステップＩは、次の通りである。
１）子機における映像採集チップＵ７は、受信したアナログ映像信号をデジタル映像信号に変換し、デジタル映像信号が子機中央処理回路８の中央プロセッサ・チップＵ９に入り、中央プロセッサ・チップＵ９は、デジタル映像信号に対し、静止あるいは動画像符号化アルゴリズム、暗号化アルゴリズムと移動映像目標検出アルゴリズムの処理を行う。
２）移動映像目標検出アルゴリズム処理は、事前に記録された映像と現在入力された映像を比較し、差異の程度によって、映像の中から移動目標を検出する。
３）子機中央プロセッサ・チップＵ９は、移動映像目標検出信号とスイッチ変数信号を受信してから、子機中央処理回路８をスタートさせ、映像の圧縮を行い、圧縮された音声と映像データを子機無線通信インターフェース回路９を経由して親機Ｍに転送する。
【００１９】
親機Ｍにおける中央処理回路４は、映像の圧縮とコーディングに用いられ、ＡＳＩＣ方式あるいはプラグイン・プロセッサ方式で実現できる。それによって実現されるステップＩＩは、次の通りである。
１）親機無線通信インターフェース回路１は、受信した圧縮された音声と映像データをメモリー回路２に格納する。
２）親機Ｍの親機中央処理回路の４中央プロセッサ・チップＵ４は、受信した音声と映像データを、静止あるいは動画像デコード・アルゴリズムによって処理し、解読、圧縮解除、および映像符号化の処理の後、受信した圧縮された映像および音声がディスプレイ出力回路３によってディスプレイ装置１２に直接表示され、受信した圧縮された音声と映像データがメモリー回路２に格納されるか、ハードディスク・インターフェース回路５によってハードディスクに格納され、該圧縮された映像および音声データは、ハードディスク・インターフェース回路５またはメモリー回路２を介してハードディスクから読み出される。
３）通信インターフェース回路６は、親機中央処理回路４と接続され、親機中央処理回路４は、受信した圧縮映像データを通信インターフェース回路６に送る。通信インターフェース回路６に通信インターフェースが設けられ、データを住宅安全保障システムのサーバーに転送してから、更にＭＭＳ移動式電話、電子メールボックスあるいは携帯型情報設備に転送できる。
【００２０】
【発明の効果】
移動する物体をリアルタイムに検知し、自動的に移動する目標を撮影する。子機を複数の部屋あるいは監視に必要な任意の場所に置くことができ、ケーブルを要しない。ユーザが外出する場合、自宅に生じた異常状況に対し自動的にデジタル撮影を行い、直ちにＭＭＳ移動式電話、電子メールボックスあるいは携帯型情報設備に転送できる。それによって、ユーザと警備員は、いつでも家の安全状況を把握でき、より大きな便利性と実用性を実現する。
【図面の簡単な説明】
【図１】本発明における子機の構成ブロック図。
【図２】本発明における親機の構成ブロック図。
【図３】本発明における子機の回路略図。
【図４】本発明における親機の回路略図。
【符号の説明】
１  ・・・親機無線通信インターフェース回路
２  ・・・メモリ回路
３  ・・・ディスプレイ出力回路
４  ・・・親機中央処理回路
５  ・・・ハードディスク・インターフェース回路
６  ・・・通信インターフェース回路
１２・・・ディスプレイ装置
【図１】
2004236281.tif 000003
【図２】
2004236281.tif 000004
【図３】
2004236281.tif 000005
【図４】
2004236281.tif 000006